【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
ネットワークを経て受信者へ送信するためのメッセージがソースデータのテーブル構造体内の少なくとも１つのランダムな行からの、セキュリティに敏感な情報を含む予め選択されたデータを含むことを決定するステップと、
前記受信者への前記予め選択されたデータの無断送信を防止し、前記セキュリティに敏感な情報の損失を防止するステップと、
を備えた方法。
【請求項２】
前記受信者への前記予め選択されたデータの無断送信を防止する前記ステップは、前記受信者へのメッセージの送信を阻止することを含む、請求項１に記載の方法。
【請求項３】
送信者及び前記受信者の少なくとも一方に前記阻止を通知するステップを更に備えた、請求項２に記載の方法。
【請求項４】
前記受信者への前記予め選択されたデータの無断送信を防止する前記ステップは、検疫サーバー及びアーカイブサーバーの少なくとも一方へメッセージをリルートすることを含む、請求項１に記載の方法。
【請求項５】
前記メッセージが許可されたビジネスプロセスの一部分であるという指示を前記検疫サーバーから受け取るステップと、
前記メッセージを前記受信者へ送信するステップと、
を更に備えた請求項４に記載の方法。
【請求項６】
前記メッセージが許可されたビジネスプロセスの一部分ではないという指示を前記検疫サーバーから受け取るステップと、
前記受信者への前記メッセージの送信を阻止するステップと、
を更に備えた請求項４に記載の方法。
【請求項７】
前記メッセージのコピーを代替サイトへ送信するステップを更に備えた、請求項１に記載の方法。
【請求項８】
前記受信者への前記予め選択されたデータの無断送信を防止する前記ステップは、メッセージの送信を終了する付加的なネットワークパケットを通信ストリームに注入することを含む、請求項１に記載の方法。
【請求項９】
前記受信者への前記予め選択されたデータの無断送信を防止する前記ステップは、少なくとも１つのより高いレベルのチャンネルセキュリティを伴うネットワークセグメントを通して前記メッセージをリルートすることを含む、請求項１に記載の方法。
【請求項１０】
前記メッセージを前記予め選択されたデータについてサーチする必要があることを前記メッセージのヘッダが指示していることを決定するステップを更に備えた、請求項１に記載の方法。
【請求項１１】
前記受信者への前記予め選択されたデータの無断送信を防止する前記ステップは、メッセージアクションポリシーの１つ以上のルールが満足される場合にメッセージに適用されるべき少なくとも１つのアクションを指定するメッセージアクションポリシーに基づいて前記メッセージに少なくとも１つのアクションを適用することを含む、請求項１に記載の方法。
【請求項１２】
前記メッセージアクションポリシーの１つ以上のルールは、
前記予め選択されたデータに関する１つ以上のルール、
少なくとも１つのアクションの特性に関する１つ以上のルール、
表現パターンを指定するルール、
メッセージアタッチメント形式を指定するルール、
メッセージアタッチメントサイズを指定するルール、
送信者識別子パターンを指定するルール、
受信者識別子パターンを指定するルール、
キーワードを指定するルール、
ファイルアタッチメント名前パターンを指定するルール、
メッセージを搬送するプロトコルを指定するルール、及び
ニュースグループの名前を指定するルール、
より成るグループから選択される請求項１１に記載の方法。
【請求項１３】
前記メッセージアクションポリシーは、前記１つ以上のルールに対する例外を識別する例外条項を含み、前記例外条項は、メッセージをマーケッティング資料として識別するヘッダを含むメッセージを、前記予め選択されたデータをサーチせずに、受信者へ送信することを要求する、請求項１２に記載の方法。
【請求項１４】
前記メッセージアクションポリシーは、少なくとも１つのアクションをトリガーするための付加的な条件を指定し、この付加的な条件は、送信者及び受信者の少なくとも一方に関連した経歴データに関する、請求項１１に記載の方法。
【請求項１５】
前記メッセージは、ｅメールメッセージ、インスタントメッセージング（ＩＭ）メッセージ、ｔｅｌｎｅｔセッション中のメッセージ交換、ファイル転送プロトコル（ＦＴＰ）セッション中に交換されるメッセージ、ハイパーテキスト転送プロトコル（ＨＴＴＰ）セッション中に交換されるメッセージ、簡単なオブジェクトアクセスプロトコル（ＳＯＡＰ）セッション中に交換されるメッセージ、送信制御プロトコル／インターネットプロトコル（ＴＣＰ／ＩＰ）セッション中に交換されるメッセージ、ユーザデータグラムプロトコル（ＵＤＰ）セッション中に交換されるメッセージ、イーサネットセッション中に交換されるメッセージ、及び８０１．１１セッション中に交換されるメッセージの１つである、請求項１に記載の方法。
【請求項１６】
ネットワークを経て受信者へ送信されるメッセージがソースデータのテーブル構造体内の少なくとも１つのランダムな行からの、セキュリティに敏感な情報を含む予め選択されたデータを含むことを決定するための違反検出器と、
メッセージをインターセプトし、前記受信者への前記予め選択されたデータの無断送信を防止し、前記セキュリティに敏感な情報の損失を防止するためのメッセージインターセプタと、
を備えたシステム。
【請求項１７】
処理システムで実行されたときに、処理システムが、
ネットワークを経て受信者へ送信されるメッセージがソースデータのテーブル構造体内の少なくとも１つのランダムな行からの、セキュリティに敏感な情報を含む予め選択されたデータを含むことを決定するステップと、
前記受信者への前記予め選択されたデータの無断送信を防止し、前記セキュリティに敏感な情報の損失を防止するステップと、
を備えた方法を遂行するようにさせるインストラクションを与えるコンピュータ読み取り可能な記憶媒体。
【請求項１８】
ネットワークを経て受信者へ送信されるメッセージがソースデータのテーブル構造体内の少なくとも１つのランダムな行からの予め選択されたデータを含むことを決定するステップと、
前記メッセージにおける前記予め選択されたデータの存在を指示するように前記メッセージを変更するステップと、
前記受信者へ前記変更されたメッセージを送信するステップと、
を備えた方法。
【請求項１９】
前記メッセージは、ｅメールメッセージ、インスタントメッセージング（ＩＭ）メッセージ、ｔｅｌｎｅｔセッション中のメッセージ交換、ファイル転送プロトコル（ＦＴＰ）セッション中に交換されるメッセージ、ハイパーテキスト転送プロトコル（ＨＴＴＰ）セッション中に交換されるメッセージ、単一オブジェクトアクセスプロトコル（ＳＯＡＰ）セッション中に交換されるメッセージ、送信制御プロトコル／インターネットプロトコル（ＴＣＰ／ＩＰ）セッション中に交換されるメッセージ、ユーザデータグラムプロトコル（ＵＤＰ）セッション中に交換されるメッセージ、イーサネットセッション中に交換されるメッセージ、及び８０１．１１セッション中に交換されるメッセージの１つである、請求項１８に記載の方法。
【請求項２０】
メッセージを変更する前記ステップは、受信者に警告するために前記メッセージの本体に前記予め選択されたデータの存在を表わす情報を追加することを含む、請求項１８に記載の方法。
【請求項２１】
前記メッセージの本体に前記予め選択されたデータの存在を表わす情報を追加することは、
前記メッセージから前記予め選択されたデータを抽出し、
前記抽出された予め選択されたデータをアタッチメントとして再構成し、そして
前記アタッチメントが繊細なデータを含むことを示す情報を前記メッセージ本体に追加する、
ことを含む請求項２０に記載の方法。
【請求項２２】
メッセージを変更する前記ステップは、受信者に警告するために前記メッセージの主題ラインに前記予め選択されたデータの存在を表わす情報を追加することを含む、請求項１８に記載の方法。
【請求項２３】
メッセージを変更する前記ステップは、前記メッセージのその後の処理の役目を果たすシステムに通知するために前記メッセージのヘッダに前記予め選択されたデータの存在を表わす情報を追加することを含む、請求項１８に記載の方法。
【請求項２４】
前記メッセージのヘッダに前記予め選択されたデータの存在を表わす情報を追加することは、メッセージヘッダフラグを変更することを含む、請求項２３に記載の方法。
【請求項２５】
前記メッセージを変更することは、
前記予め選択されたデータの少なくとも一部分を隠す必要があることを決定し、
前記予め選択されたデータを編集し、そして
前記編集された予め選択されたデータを伴うメッセージを前記受信者へ送信する、
ことを含む請求項１８に記載の方法。
【請求項２６】
前記メッセージを変更することは、
前記予め選択されたデータを含むメッセージを記憶し、
前記記憶されたメッセージを指す安全なリンクを含む代用メッセージを生成し、そして
前記代用メッセージを前記受信者に送信する、
ことを含む請求項１８に記載の方法。
【請求項２７】
前記メッセージは、メッセージアクションポリシーの１つ以上のルールが満足される場合にメッセージに適用されるべき少なくとも１つの変更を識別するメッセージアクションポリシーに基づいて変更される、請求項１８に記載の方法。
【請求項２８】
前記メッセージアクションポリシーの１つ以上のルールは、
前記予め選択されたデータに関する１つ以上のルール、
前記少なくとも１つの変更の特性に関する１つ以上のルール、
表現パターンを指定するルール、
メッセージアタッチメント形式を指定するルール、
メッセージアタッチメントサイズを指定するルール、
送信者識別子パターンを指定するルール、
受信者識別子パターンを指定するルール、
キーワードを指定するルール、
ファイルアタッチメント名前パターンを指定するルール、
メッセージを搬送するプロトコルを指定するルール、及び
ニュースグループの名前を指定するルール、
より成るグループから選択される請求項２７に記載の方法。
【請求項２９】
前記メッセージアクションポリシーは、前記１つ以上のルールに対する例外を識別する例外条項を含み、前記例外条項は、前記予め選択されたデータへアクセスすることが許可された送信者及び受信者の少なくとも一方を宣言する、請求項２７に記載の方法。
【請求項３０】
前記メッセージアクションポリシーは、前記１つ以上のルールに対する例外を識別する例外条項を含み、前記例外条項は、メッセージをマーケッティング資料として識別するヘッダを含むメッセージを、前記予め選択されたデータをサーチせずに、受信者へ送信することを要求する、請求項２９に記載の方法。
【請求項３１】
前記メッセージアクションポリシーは、少なくとも１つのアクションを適用するための付加的な条件を指定し、この付加的な条件は、送信者及び受信者の少なくとも一方に関連した経歴データに関する、請求項２７に記載の方法。
【請求項３２】
ネットワークを経て受信者へ送信されるメッセージが繊細なデータを含むことを決定するステップと、
前記繊細なデータを編集することにより前記メッセージを変更するステップと、
前記変更されたメッセージを前記受信者へ送信するステップと、
を備えた方法。
【請求項３３】
前記メッセージは、ｅメールメッセージ、インスタントメッセージング（ＩＭ）メッセージ、ｔｅｌｎｅｔセッション中のメッセージ交換、ファイル転送プロトコル（ＦＴＰ）セッション中に交換されるメッセージ、ハイパーテキスト転送プロトコル（ＨＴＴＰ）セッション中に交換されるメッセージ、単一オブジェクトアクセスプロトコル（ＳＯＡＰ）セッション中に交換されるメッセージ、送信制御プロトコル／インターネットプロトコル（ＴＣＰ／ＩＰ）セッション中に交換されるメッセージ、ユーザデータグラムプロトコル（ＵＤＰ）セッション中に交換されるメッセージ、イーサネットセッション中に交換されるメッセージ、及び８０１．１１セッション中に交換されるメッセージの１つである、請求項３２に記載の方法。
【請求項３４】
前記メッセージのコピーを、編集の前に、送信者のスーパーバイザー及びアーカイブサーバーのいずれか一方に送信するステップを更に備えた、請求項３２に記載の方法。
【請求項３５】
前記予め選択されたデータは、メッセージアクションポリシーの１つ以上のルールが満足される場合に編集を要求するメッセージアクションポリシーに基づいて編集される、請求項３２に記載の方法。
【請求項３６】
ネットワークを経て受信者へ送信されるメッセージが、保護されるべきソースデータのテーブル構造体内の少なくとも１つのランダムな行からの予め選択されたデータを含むことを決定するための違反検出器と、
前記メッセージにおける前記予め選択されたデータの存在を指示するように前記メッセージを変更するためのメッセージ変更器と、
前記変更されたメッセージを前記受信者へ送信するためのメッセージルーターと、
を備えたシステム。
【請求項３７】
処理システムで実行されたときに、処理システムが、
ネットワークを経て受信者へ送信されるメッセージが、保護されるべきソースデータのテーブル構造体内の少なくとも１つのランダムな行からの予め選択されたデータを含むことを決定するステップと、
前記メッセージにおける前記予め選択されたデータの存在を指示するように前記メッセージを変更するステップと、
前記変更されたメッセージを前記受信者へ送信するステップと、
を備えた方法を遂行するようにさせるインストラクションを与えるコンピュータ読み取り可能な記憶媒体。
【請求項３８】
処理システムで実行されたときに、処理システムが、
ネットワークを経て受信者へ送信されランダムなフォーマットを有するメッセージが繊細なデータを含むことを決定するステップと、
前記メッセージの本体における前記繊細なデータをリアルタイムで編集するステップと、
前記編集されたデータを伴うメッセージを前記受信者へ送信するステップと、
を備えた方法を遂行するようにさせるインストラクションを与えるコンピュータ読み取り可能な記憶媒体。